(57)【特許請求の範囲】
【請求項１】
物体側から順に、正の屈折力を有する対物レンズ系と、該対物レンズ系による中間像を正立正像にするための正立正像系と、正の屈折力を有する接眼レンズ系とを備えたケプラー式変倍ファインダーにおいて、
前記対物レンズ系は、負の屈折力を有する第１レンズ群と、正の屈折力を有する第２レンズ群と、負の屈折力を有する第３レンズ群と、中間像面より前記物体側に配置された反射部材とからなり、該第２レンズ群及び第３レンズ群は変倍時に光軸方向への移動が可能で、又、前記各レンズ群は単レンズにより構成され、前記第１レンズ群の焦点距離をｆ1、前記第２レンズ群の焦点距離をｆ2、広角端における前記対物レンズ系の焦点距離をｆwとしたとき、以下の条件式を満足するようにしたことを特徴とするケプラー式変倍ファインダー。
０．５＜｜ｆ1／ｆw｜＜１．５
０．４＜ｆ2／ｆw＜１．６
【請求項２】
前記第３レンズ群は像側に凹面を向けたメニスカスレンズにより構成されていることを特徴とする請求項１に記載のケプラー式変倍ファインダー。
【請求項３】
以下の条件式を満足するようにしたことを特徴とする請求項１又は２に記載のケプラー式変倍ファインダー。
０．４＜ｆ2／ｆw＜１．２
【発明の詳細な説明】
【０００１】
【産業上の利用分野】
本発明は、撮影レンズとファインダーレンズとが別体に構成されたレンズシャッターカメラ等に用いるのに好適なファインダーに関する。
【０００２】
【従来の技術】
ケプラー式ファインダーでは、対物レンズ系の中間像面付近に視野枠や各種表示が配置され、これを接眼レンズ系において観察できるように構成されているので、枠の境界線が明確に見える。更に、視野自体もフレアの少ない状態で明瞭に確認することができるため、非常に視野の見えがよいファインダーである。又、入射瞳位置が近いことから入射窓のサイズを小さくすることができるし、正立正像系を構成するプリズム等の折り方を工夫することによって、より小型化の達成が可能になる。従って、特に高級なレンズシャッターカメラのファインダーとして多く採用されているが、一方で、中間像面付近に付着したゴミ等が目立ち易いという欠点も有していることから、製造時には十分な注意が必要である。
【０００３】
このようなケプラー式ファインダーにおいて、対物レンズ系をズーム化した例が従来より多く発明されており、変倍のためのズームタイプも様々なものが示されている。とりわけ、負・正・負の３群により構成された対物レンズ系は、バックフォーカスを比較的長くとることが可能なため、正立正像系を構成する場合に、プリズムを用いて光路を曲げる際の自由度が高く光学系の設計上好ましいものである。
【０００４】
このような対物レンズ系を有するケプラー式変倍ファインダーとしては、特開平４−２３０７１９号，特開平５−５３０５４号，特開平５−３４６６１０号及び特開平６−２４２３７７号の各公報に開示されているものが知られている。何れのファインダーも、負・正・負の３群ズームにおいて、変倍に際し第３群を固定し第１群及び第２群を可動に構成して、変倍及び像面の補正を行っている。
又、特開平３−４２１７号，特開平３−２３３４２０号及び特開平４−１７９９０８号の各公報において開示されているケプラー式変倍ファインダーも知られている。これらのファインダーは、負・正・負の３群ズームにおいて、変倍に際し第１群を固定し第２及び第３群を可動させることで、変倍及び像面の補正を行っている。
【０００５】
【発明が解決しようとする課題】
何れのファインダーも負・正・負のズーム系の後側に配置されている正立正像系によって像の反転が行われた後、接眼レンズ系を介してこの像が観察されるようになっている。しかし、特開平４−２３０７１９号，特開平５−５３０５４号，特開平５−３４６６１０号及び特開平６−２４２３７７号の各公報に開示されているような第１群を光軸方向へ移動させて変倍が行われるタイプのファインダーでは、第１群のレンズ周辺からゴミ等が入り込み易くなっているため、ファインダーを覗いた際にそのゴミ等が目立ち易く、品位を落とすことがある。
【０００６】
一方、特開平３−４２１７号，特開平３−２３３４２０号及び特開平４−１７９９０８号の各公報に開示されているような第１群が固定されているタイプのファインダーでは、ゴミ等がファインダー内部に進入する虞は少ないが、何れのファインダーも対物系が長くなっているためカメラの小型化を阻んでいる。  更に、特開平３−４２１７号公報に記載のものは、２．７倍程度の変倍比を有してはいるものの、対物系は５〜６枚のレンズから構成され、又、接眼系も２枚のレンズにより構成されているため、レンズの構成枚数が多い上、ファインダーの全長も長くなっている。
特開平３−２３３４２０号公報に記載のものは、対物系は３〜４枚のレンズで、又接眼系は１枚のレンズにより夫々構成されており、レンズの構成枚数は少ないものの、変倍比が２倍程度と小さく、ファインダーの全長は長くなっている。特開平４−１７９９０８号公報に記載のものは、対物系は４枚のレンズで、又接眼系は２枚のレンズにより夫々構成されているため、レンズの構成枚数が多く、変倍比が２倍程度と小さいわりにはファインダーの全長は長くなっている。
【０００７】
そこで、上記従来技術の有する問題点に鑑み、本発明は、２．５倍程度の変倍比を有し、且つ、レンズ構成枚数の少ない薄型で高性能なケプラー式変倍ファインダーを提供することを目的とする。
【０００８】
【課題を解決するための手段及び作用】
上記目的を達成するため、本発明によるケプラー式変倍ファインダーは、物体側から順に、正の屈折力を有する対物レンズ系と、この対物レンズ系による中間像を正立正像にするための正立正像系と、正の屈折力を有する接眼レンズ系とを備えたケプラー式変倍ファインダーにおいて、前記対物レンズ系は、負の屈折力を有する第１レンズ群と、正の屈折力を有する第２レンズ群と、負の屈折力を有する第３レンズ群と、中間像面より前記物体側に配置された反射部材とからなり、該第２レンズ群及び第３レンズ群は変倍時に光軸方向への移動が可能で、又、前記各レンズ群は単レンズにより構成され、且つ、以下の条件式を満足するようにしたことを特徴とする。
０．５＜｜ｆ1／ｆw｜＜１．５
０．４＜ｆ2／ｆw＜１．６
但し、ｆ1は第１レンズ群の焦点距離、ｆ2は第２レンズ群の焦点距離、ｆwは広角端における対物レンズ系の焦点距離である。
【０００９】
また、本発明のケプラー式変倍ファインダーにおいては、前記第３レンズ群を像側に凹面を向けたメニスカスレンズで構成するのが好ましい。
また、本発明のケプラー式変倍ファインダーにおいては、以下の条件式を満足するように構成するのが好ましい。
０．４＜ｆ2／ｆw＜１．２
但し、ｆ2は第２レンズ群の焦点距離、ｆwは広角端における対物レンズ系の焦点距離である。
【００１０】
一般に、実像式ファインダーをレイアウトするとき、正立正像系は折り曲げて構成するためかなり薄くすることができるが、対物レンズ系は変倍に際しその構成要素である各レンズ群を光軸方向に移動させる必要があるため、折り曲げて構成することは困難である。従って、対物レンズ系の全長がカメラの厚さを決定する大きな要因となっている。
そこで、対物レンズ系の全長が決定される要因を考えてみると、▲１▼対物レンズ系を構成するレンズの厚さ、▲２▼各レンズ群の可動スペース、▲３▼対物レンズ系のバックフォーカス、等があげられる。対物レンズ系の最終面から中間像面までの距離、所謂バックフォーカスは必ず存在するが、一般的にはその分も含めて対物レンズ系の全長が決定される。しかし、正立正像系を配置できる程度にバックフォーカスを長く形成しておき、このスペースにプリズムやミラー等の反射部材を配置すれば、カメラの薄型化を図ることができる。
【００１１】
上述した従来例の各ファインダーにおいては、ファインダーのレンズ構成枚数が多いために前記▲１▼の厚さが厚くなったり、又、バックフォーカスの長さが中途半端であるために前記▲３▼の厚さの分だけカメラ厚が厚くなっている。
このような問題点を解決するために、本発明によるケプラー式変倍ファインダーでは、対物レンズ系に負・正・負の３群ズームタイプを採用して、反射部材を配置するのに十分なバックフォーカスを確保している。更に、各レンズ群の厚さを薄くするために、各レンズ群を単レンズによって構成し、ファインダー全系の薄型化を達成している。更に、このとき、発生する諸収差を良好に補正するために前記レンズ群の各面には非球面を用いることが好ましい。
【００１２】
又、カメラの薄型化を促進するためには、前記各レンズ群の可動スペースを小さく形成することが必要になる。このためには、第１レンズ群の焦点距離をｆ1、第２レンズ群の焦点距離をｆ2、広角端における対物レンズ系の焦点距離をｆwとしたとき、ファインダーは以下の条件式を満足するように構成されることが必要になる。
０．５＜｜ｆ1／ｆw｜＜１．５                    ・・・・（１）
０．４＜ｆ2／ｆw＜１．６                        ・・・・（２）
【００１３】
本発明のケプラー式変倍ファインダーでは、第２レンズ群が変倍作用を、第３レンズ群が像面補正作用を有している。条件式（１）は、ファインダーのバックフォーカスの確保のための条件と、第２，第３レンズ群の倍率範囲の条件を定めたものである。｜ｆ１  ／ｆＷ  ｜の値が条件式（１）の取り得る値の範囲の上限を越えると、ファインダーのバックフォーカスの確保が困難となる。一方、｜ｆ１  ／ｆＷ  ｜の値が条件式（１）の取り得る値の範囲の下限を下回ると、第３レンズ群の可動スペースが大きくなり対物レンズ系の全長が長くなってしまう。
条件式（２）は、第２レンズ群に必要とされるパワーの条件を定めたものである。ｆ２  ／ｆＷ  の値が条件式（２）の取り得る値の範囲の上限を越えると、第２レンズ群の可動スペースが大きくなってしまって、ファインダーの薄型化を達成できなくなる。一方、ｆ２  ／ｆＷ  の値が条件式（２）の取り得る値の範囲の下限を下回ると、第２レンズ群のパワーが強くなりすぎて発生する収差の補正を十分に行えなくなる。
【００１４】
本発明のケプラー式変倍ファインダーにおいて、更なる薄型化が要望される場合には、上記条件式（２）を以下のように厳格に定めることが必要になる。
０．４＜  ｆ２  ／ｆＷ    ＜１．２                    ・・・・（２）’
この条件式（２）’に定められた条件を満足するように、第２レンズ群のパワーをある程度強くすることで、変倍時の第２レンズ群の可動スペースを減少させて、ファインダーの薄型化を達成することができる。
【００１５】
このように、本発明において、条件式（２）’を用いれば更なるファインダーの薄型化を達成することができる。即ち、物体側から順に、正の屈折力を有する対物レンズ系と、この対物レンズ系による中間像を正立正像にするための正立正像系と、正の屈折力を有する接眼レンズ系とを備えたケプラー式ファインダーにおいて、前記対物レンズ系を、負の屈折力を有する第１レンズ群と、正の屈折力を有する第２レンズ群と、負の屈折力を有する第３レンズ群とにより構成し、変倍時に第２レンズ群及び第３レンズ群が光軸方向に移動可能であり、且つ、以下に示す条件式を満足するように構成されることによって、より一層のファインダーの薄型化の達成ができる。
０．５＜｜ｆ１  ／ｆＷ  ｜＜１．５                    ・・・・（１）
０．４＜  ｆ２  ／ｆＷ    ＜１．２                    ・・・・（２）’
但し、ｆ１  は第１レンズ群の焦点距離、ｆ２  は第２レンズ群の焦点距離、ｆＷ  は広角端における対物レンズ系の焦点距離である。
【００１６】
又、本発明のファインダーにおいて、全変倍域に亘って良好な収差の補正が行われるようにするためには、第３レンズ群は像側に凹面を向けたメニスカスレンズにより構成されることが好ましい。
【００１７】
【実施例】
以下、図示した実施例に基づき本発明を詳細に説明する。
第１実施例
図１は本実施例にかかるケプラー式変倍ファインダーの光軸に沿う断面図であり、（ａ）は広角端，（ｂ）は中間倍率，（ｃ）は望遠端での状態を夫々示している。本実施例のファインダーは、図示しない物体側から順に、負の屈折力を有する第１レンズ群１ａ，正の屈折力を有する第２レンズ群１ｂ，負の屈折力を有する第３レンズ群１ｃ及び反射部材としてのプリズム１ｄからなる対物レンズ系１と、反射部材としてのプリズム２ａと接眼レンズ２ｂとからなる接眼レンズ系２とにより構成されている。又、図示しないが、プリズム１ｄとプリズム２ａとの間には対物レンズ系１による中間像面が形成される。対物レンズ系１を構成する各レンズ群では、第１レンズ群１ａが固定され、第２レンズ群１ｂ及び第３レンズ群１ｃが夫々光軸ＬＣ  上を移動して変倍が行われる。又、プリズム１ｄ及びプリズム２ａは夫々２つの反射面を有しており、これらで正立正像系を構成している。更に、第１レンズ群１ａ，第２レンズ群１ｂ，第３レンズ群１ｃ及び接眼レンズ２ｂは夫々１枚のレンズにより構成されている。
尚、本実施例では、プリズム１ｄはダハプリズムで、プリズム２ａはペンタプリズムによって構成されているため、このファインダーをカメラ本体に組み込んだ場合に、カメラ本体の高さを低く抑えることができる。又、プリズム１ｄ，２ａは夫々ミラーにより構成されてもよいし、ポロプリズムによって構成されても差し支えない。
【００１８】
以下、本実施例にかかるケプラー式変倍ファインダーを構成しているレンズ等光学部材の数値データを示す。
0003619552.tif 000002
【００１９】
0003619552.tif 000003
【００２０】
0003619552.tif 000004
【００２１】
0003619552.tif 000005
【００２２】
0003619552.tif 000006
【００２３】
0003619552.tif 000007
【００２４】
又、本実施例のケプラー式変倍ファインダーにおける上記条件式（１），（２）の値は次の通りである。
0003619552.tif 000008
【００２５】
又、図２は本実施例のケプラー式変倍ファインダーの収差曲線図であり、（ａ）は広角端，（ｂ）は中間倍率，（ｃ）は望遠端での状態を夫々示している。
【００２６】
第２実施例
図３は本実施例にかかるケプラー式変倍ファインダーの光軸に沿う断面図であり、（ａ）は広角端，（ｂ）は中間倍率，（ｃ）は望遠端での状態を夫々示している。本実施例のファインダーの構成は、第２，第５及び第１１面に非球面を用い、第１面に非球面を用いていない点を除き、第１実施例に示したものと同様である。
【００２７】
以下、本実施例にかかるケプラー式変倍ファインダーを構成しているレンズ等光学部材の数値データを示す。
0003619552.tif 000009
【００２８】
0003619552.tif 000010
【００２９】
0003619552.tif 000011
【００３０】
0003619552.tif 000012
【００３１】
0003619552.tif 000013
【００３２】
0003619552.tif 000014
【００３３】
又、本実施例のケプラー式変倍ファインダーにおける上記条件式（１），（２）の値は次の通りである。
0003619552.tif 000015
【００３４】
又、図４は本実施例のケプラー式変倍ファインダーの収差曲線図であり、（ａ）は広角端，（ｂ）は中間倍率，（ｃ）は望遠端での状態を夫々示している。
【００３５】
第３実施例
図５は本実施例にかかるケプラー式変倍ファインダーの光軸に沿う断面図であり、（ａ）は広角端，（ｂ）は中間倍率，（ｃ）は望遠端での状態を夫々示している。本実施例のファインダーの構成は、第１面に非球面を用い、第１１面に非球面を用いていない点を除き、第２実施例に示したものと同様である。
【００３６】
以下、本実施例にかかるケプラー式変倍ファインダーを構成しているレンズ等光学部材の数値データを示す。
0003619552.tif 000016
【００３７】
0003619552.tif 000017
【００３８】
0003619552.tif 000018
【００３９】
0003619552.tif 000019
【００４０】
0003619552.tif 000020
【００４１】
0003619552.tif 000021
【００４２】
又、本実施例のケプラー式変倍ファインダーにおける上記条件式（１），（２）の値は次の通りである。
0003619552.tif 000022
【００４３】
又、図６は本実施例のケプラー式変倍ファインダーの収差曲線図であり、（ａ）は広角端，（ｂ）は中間倍率，（ｃ）は望遠端での状態を夫々示している。
【００４４】
第４実施例
図７は本実施例にかかるケプラー式変倍ファインダーの光軸に沿う断面図であり、（ａ）は広角端，（ｂ）は中間倍率，（ｃ）は望遠端での状態を夫々示している。本実施例のファインダーの構成は、第６面に非球面を用いていない点を除き、第２実施例に示したものと同様である。
【００４５】
以下、本実施例にかかるケプラー式変倍ファインダーを構成しているレンズ等光学部材の数値データを示す。
0003619552.tif 000023
【００４６】
0003619552.tif 000024
【００４７】
0003619552.tif 000025
【００４８】
0003619552.tif 000026
【００４９】
0003619552.tif 000027
【００５０】
0003619552.tif 000028
【００５１】
又、本実施例のケプラー式変倍ファインダーにおける上記条件式（１），（２）の値は次の通りである。
0003619552.tif 000029
【００５２】
又、図８は本実施例のケプラー式変倍ファインダーの収差曲線図であり、（ａ）は広角端，（ｂ）は中間倍率，（ｃ）は望遠端での状態を夫々示している。
【００５３】
第５実施例
図９は本実施例にかかるケプラー式変倍ファインダーの光軸に沿う断面図であり、（ａ）は広角端，（ｂ）は中間倍率，（ｃ）は望遠端での状態を夫々示している。本実施例のファインダーの構成は、第１面に非球面を用いている点を除き、第２実施例に示したものと同様である。
【００５４】
以下、本実施例にかかるケプラー式変倍ファインダーを構成しているレンズ等光学部材の数値データを示す。
0003619552.tif 000030
【００５５】
0003619552.tif 000031
【００５６】
0003619552.tif 000032
【００５７】
0003619552.tif 000033
【００５８】
0003619552.tif 000034
【００５９】
0003619552.tif 000035
【００６０】
又、本実施例のケプラー式変倍ファインダーにおける上記条件式（１），（２）の値は次の通りである。
0003619552.tif 000036
【００６１】
又、図１０は本実施例のケプラー式変倍ファインダーの収差曲線図であり、（ａ）は広角端，（ｂ）は中間倍率，（ｃ）は望遠端での状態を夫々示している。
【００６２】
尚、上記各実施例の数値データにおいて、ｒ１  ，ｒ２  ，・・・・は各レンズ又はプリズム面の曲率半径を、ｄ１  ，ｄ２  ，・・・・は各レンズ若しくはプリズムの肉厚又はそれらの間隔を、ｎ１  ，ｎ２  ，・・・・は各レンズの屈折率を、ν１  ，ν２  ・・・・は各レンズのアッベ数を、夫々示している。又、上記非球面形状は、光軸上の光の進行方向をＺ軸、光軸と直交する方向をＹ軸にとり、円錐係数をκ、非球面係数をＡ４  ，Ａ６  ，Ａ８  ，Ａ１０としたとき、以下に示す式により与えられる。
0003619552.tif 000037
【００６３】
【発明の効果】
上述のように、本発明によれば、高変倍比を備えた薄型で高性能なケプラー式変倍ファインダーを提供することができる。
【図面の簡単な説明】
【図１】本発明の第１実施例にかかるケプラー式変倍ファインダーの構成を示す光軸に沿う断面図であり、（ａ）は広角端，（ｂ）は中間倍率，（ｃ）は望遠端での状態を示す図である。
【図２】第１実施例のケプラー式変倍ファインダーの収差曲線図であり、（ａ）は広角端，（ｂ）は中間倍率，（ｃ）は望遠端での状態を示す図である。
【図３】本発明の第２実施例にかかるケプラー式変倍ファインダーの構成を示す光軸に沿う断面図であり、（ａ）は広角端，（ｂ）は中間倍率，（ｃ）は望遠端での状態を示す図である。
【図４】第２実施例のケプラー式変倍ファインダーの収差曲線図であり、（ａ）は広角端，（ｂ）は中間倍率，（ｃ）は望遠端での状態を示す図である。
【図５】本発明の第３実施例にかかるケプラー式変倍ファインダーの構成を示す光軸に沿う断面図であり、（ａ）は広角端，（ｂ）は中間倍率，（ｃ）は望遠端での状態を示す図である。
【図６】第３実施例のケプラー式変倍ファインダーの収差曲線図であり、（ａ）は広角端，（ｂ）は中間倍率，（ｃ）は望遠端での状態を示す図である。
【図７】本発明の第４実施例にかかるケプラー式変倍ファインダーの構成を示す光軸に沿う断面図であり、（ａ）は広角端，（ｂ）は中間倍率，（ｃ）は望遠端での状態を示す図である。
【図８】第４実施例のケプラー式変倍ファインダーの収差曲線図であり、（ａ）は広角端，（ｂ）は中間倍率，（ｃ）は望遠端での状態を示す図である。
【図９】本発明の第５実施例にかかるケプラー式変倍ファインダーの構成を示す光軸に沿う断面図であり、（ａ）は広角端，（ｂ）は中間倍率，（ｃ）は望遠端での状態を示す図である。
【図１０】第５実施例のケプラー式変倍ファインダーの収差曲線図であり、（ａ）は広角端，（ｂ）は中間倍率，（ｃ）は望遠端での状態を示す図である。
【符号の説明】
１      対物レンズ系
１ａ    第１レンズ群
１ｂ    第２レンズ群
１ｃ    第３レンズ群
１ｄ    プリズム
２      接眼レンズ系
２ａ    プリズム
２ｂ    接眼レンズ
ＬＣ      光軸
【図１】
0003619552.tif 000038
【図２】
0003619552.tif 000039
【図３】
0003619552.tif 000040
【図４】
0003619552.tif 000041
【図５】
0003619552.tif 000042
【図６】
0003619552.tif 000043
【図７】
0003619552.tif 000044
【図８】
0003619552.tif 000045
【図９】
0003619552.tif 000046
【図１０】
0003619552.tif 000047